(57)【特許請求の範囲】
【請求項１】
複数個の二次電池セルが直列に接続され、かつ正極側および負極側の外部接続用端子を有する電池パック本体、および前記各二次電池セル間に分岐する一端がそれぞれ接続し、かつ他端がスイッチを介して一点に導出され、隣接する二次電池セル間の電圧差を前記電池パック側のスイッチの切り換えで測定する電圧差測定用端子である電圧差測定用配線部を備えて成る直列型二次電池パックの充電方法であって、
前記直列型二次電池パックの隣接する二次電池セル間の測定電圧差が所定の範囲から外れる場合に、
前記スイッチの切り換えによって導通可能になった１つの前記電圧差測定用配線部の電圧差測定用端子に一端が接続され、他端が前記負極側の外部接続用端子に接続された充電用配線部と接続する負極側の電圧測定用配線部および前記正極側の外部接続用端子に接続する充電用配線部を有して形成される閉回路、または前記スイッチの切り換えによって導通可能になった１つの前記電圧差測定用配線部の前記電圧差測定用端子に一端が接続され、他端が前記正極側の外部接続用端子に接続された充電用配線部と接続する正極側の電圧測定用配線部および前記負極側の外部接続用端子に接続する充電用配線部を有して形成される閉回路を形成して、二次電池セル間の電圧差が所定の範囲内に入るよう充電を開始し、隣接する前記二次電池セル間の電圧差が所定の範囲内になった時点で、前記各外部接続用端子に接続される充電用配線部を有して形成される閉回路を用いて定電流充電に移行することを特徴とする直列型二次電池パックの充電方法。
【請求項２】
複数個の二次電池セルが直列に接続され、かつ正極側および負極側の外部接続用端子を有する電池パック本体と、
前記各二次電池セル間に分岐する一端がそれぞれ接続し、かつ他端がスイッチを介して一点に導出され、隣接する二次電池セル間の電圧差を前記電池パック側のスイッチの切り換えで測定する電圧差測定用端子を形成する電圧差測定用配線部と、
前記二次電池パックの正極側および負極側の外部接続用端子に対応する接続端子を有し、かつ充電用電源側にそれぞれスイッチを介して接続する正極側および負極側の充電用配線部と、
前記二次電池パックの電圧差測定用端子に一端が接続し、他端側が前記正極側の充電用配線部に接続する正極側配線と前記負極側の充電用配線部に接続する負極側配線とに分岐し、かつ該分岐された各配線がスイッチを介して前記各充電用配線部のスイッチよりも充電用電源側に接続する電圧測定用配線部と、
前記直列型二次電池パックの隣接する二次電池セル間の測定電圧差に基づいて、前記電圧差測定用端子、前記充電用配線部および前記電圧測定用配線部の各スイッチを選択的に開閉する制御装置と
を具備することを特徴とする直列型二次電池パック用充電装置。
【発明の詳細な説明】
【０００１】
【産業上の利用分野】
本発明は二次電池パック用充電方法および充電装置に係り、さらに詳しくは二次電池パックを構成する直列接続された二次電池セル間の電圧差をバランスさせて充電を行うことによって、二次電池パックのエネルギー利用効率を向上させる二次電池パックの充電方法および二次電池パック用充電装置に関する。
【０００２】
【従来の技術】
携帯型電子機器類においては、充電・放電が可能で半永久的な電源として機能する二次電池が、一般的に駆動電源として使用されている。また、携帯型電子機器類の高機能化や高容量化などに伴って、駆動電源の大容量化（もしくは高容量化）が要求される一方、取扱・使用なども行い易いことが望まれている。このような要望に対して、たとえば同規格の二次電池セルを複数個直列に接続・組み合わせ、いわゆるパック化して電源容量を大きくすることが知られている。
【０００３】
図５，図６および図７は、前記直列接続型の二次電池パックについて、充電時もしくは放電時（使用時）の回路構成を示したもので、１は電池パック、１ａ，１ｂ，１ｃは前記電池パック１を構成する二次電池セル、２ａ，２ｂは電池パック１の外部接続端子、３ａ，３ｂは二次電池セル１ａ，１ｂ，１ｃ間の電圧測定用端子、４は充電器、５は負荷である。そして、これらの回路構成では、電池パック１の外部接続端子２ａ，２ｂを充電器４に接続した充電時の充電量、もしくは電池パック１の外部接続端子２ａ，２ｂを負荷５に接続した放電時の放電量が制御されている。すなわち充電時もしくは放電時においては、それぞれ二次電池セル１ａ，１ｂ，１ｃ間の電圧測定用端子３ａ，３ｂを介して検出される充電可能（許容）な範囲、もしくは放電可能（許容）な範囲の電圧値内で充電，放電操作が制御されている。
【０００４】
【発明が解決しようとする課題】
しかしながら、前記二次電池パック１の構成では、実用上次ぎのような不都合の問題がある。すなわち、二次電池パック１を構成する二次電池セル１ａ，１ｂ，１ｃ間に電圧差があると、二次電池パック１のエネルギーを有効に利用し得ないという問題がある。図５の回路構成で、たとえば二次電池セル１ａの充電量＞二次電池セル１ｂの充電量のとき、二次電池セル１ａ＋１ｂの充電電圧が３．０Ｖとすると、二次電池セル１ａの充電量１．６Ｖ，二次電池セル１ｂの充電量１．４Ｖで充電操作が終了することになる。一方、図６の回路構成では、二次電池セル１ａの放電終止点が１．１Ｖで二次電池セル１ｂの放電終止点が０．９Ｖになったり、もしくは二次電池セル１ａの放電終止点が１．２Ｖで二次電池セル１ｂの放電終止点が０．８Ｖになるなど、二次電池セル１ｂの過放電を引き起こしたりする。さらに、図７の回路構成では、前記充・放電のバラツキ問題が複雑化するだけでなく、二次電池セル１ａ，１ｂ，１ｃ間の電圧測定用端子の引き出し数も多数となるので、回路構成の複雑化や大型化を招来するという問題もある。
【０００５】
上記したように、従来の二次電池を直列接続した構成を採る電池パックの場合は、前記直列接続されている複数個の二次電池セルが、充電時もしくは放電時において、それぞれが常時一様な性能を保持，発揮しない限り、もしくは前記一様な性能を保持，発揮し得る補正手段を加えない限り、各二次電池セル１ａ，１ｂ，１ｃのエネルギーを十分に活用し得ない。つまり、大きい容量電源化するため、電池パック化しても、利用効率が不十分であったり、ときには大形化の回避が難しく、携帯性などが損なわれるという不都合な問題ある。
【０００６】
本発明はこのような事情に対処してなされたもので、直列接続型の二次電池パックを構成する二次電池セルの充電量や放電量のバラツキなどに対応し、所要の補正手段によって、十分なエネルギー効率を与え得ることができる二次電池パックの充電方法、および二次電池パック用充電装置の提供を目的とする。
【０００７】
【課題を解決するための手段】
本発明に係る直列型二次電池パックの充電方法は、複数個の二次電池セルが直列に接続され、かつ正極側および負極側の外部接続用端子を有する電池パック本体、および前記各二次電池セル間に分岐する一端がそれぞれ接続し、かつ他端がスイッチを介して一点に導出され、隣接する二次電池セル間の電圧差を前記電池パック側のスイッチの切り換えで測定する電圧差測定用端子である電圧差測定用配線部を備えて成る直列型二次電池パックの充電方法であって、前記直列型二次電池パックの隣接する二次電池セル間の測定電圧差が所定の範囲から外れる場合に、前記スイッチの切り換えによって導通可能になった１つの前記電圧差測定用配線部の電圧差測定用端子に一端が接続され、他端が前記負極側の外部接続用端子に接続された充電用配線部と接続する負極側の電圧測定用配線部および前記正極側の外部接続用端子に接続する充電用配線部を有して形成される閉回路、または前記スイッチの切り換えによって導通可能になった１つの前記電圧差測定用配線部の前記電圧差測定用端子に一端が接続され、他端が前記正極側の外部接続用端子に接続された充電用配線部と接続する正極側の電圧測定用配線部および前記負極側の外部接続用端子に接続する充電用配線部を有して形成される閉回路を形成して、二次電池セル間の電圧差が所定の範囲内に入るよう充電を開始し、隣接する前記二次電池セル間の電圧差が所定の範囲内になった時点で、前記各外部接続用端子に接続される充電用配線部を有して形成される閉回路を用いて定電流充電に移行することを特徴とする。
【０００８】
本発明に係る直列型二次電池パック用充電装置は、複数個の二次電池セルが直列に接続され、かつ正極側および負極側の外部接続用端子を有する電池パック本体と、前記各二次電池セル間に分岐する一端がそれぞれ接続し、かつ他端がスイッチを介して一点に導出され、隣接する二次電池セル間の電圧差を前記電池パック側のスイッチの切り換えで測定する電圧差測定用端子を形成する電圧差測定用配線部と、前記二次電池パックの正極側および負極側の外部接続用端子に対応する接続端子を有し、かつ充電用電源側にそれぞれスイッチを介して接続する正極側および負極側の充電用配線部と、前記二次電池パックの電圧差測定用端子に一端が接続し、他端側が前記正極側の充電用配線部に接続する正極側配線と前記負極側の充電用配線部に接続する負極側配線とに分岐し、かつ該分岐された各配線がスイッチを介して前記各充電用配線部のスイッチよりも充電用電源側に接続する電圧測定用配線部と、前記直列型二次電池パックの隣接する二次電池セル間の測定電圧差に基づいて、前記電圧差測定用端子、前記充電用配線部および前記電圧測定用配線部の各スイッチを選択的に開閉する制御装置とを具備することを特徴とする。
【０００９】
【作用】
本発明に係る直列型二次電池パック充電方法は、被充電電池パックを構成している各二次電池セルの充電時の容量（残り容量）に対応し、それぞれ適正な充電を行い、一定の容量バランスを採ってから、定電流充電を行う構成と成っている。つまり、各二次電池セルの充電時における残り容量のバランス状態を比較検出し、許容範囲を超えたアンバランス状態にある場合は、それぞれ選択・制御した条件で一次的な充電を進めて、前記アンバランスが許容の範囲（たとえば±３０ｍＶ）に調整・到達させた後、定所要の定電流充電に移行するので、充電後における各二次電池セルの充電容量（充電電圧）のバラツキは容易に低減，解消され、規格に対応した十分な充電・放電を行うことができ、二次電池パックを構成する各二次電池セルのエネルギーを、より有効に活用し得ることになる。
【００１０】
また、本発明に係る直列型二次電池パック用充電装置は、前記本発明に係る二次電池パックの充電方法を自動的に、かつ煩雑な操作なども要せずに行うことができる。
【００１１】
【実施例】
以下図１，図２，図３，図４を参照して本発明の実施例を説明する。
【００１２】
図１は本発明に係る二次電池パックの要部構成例、図２は二次電池パック用充電装置の回路構成例、さらに図３および図４は本発明に係る他の互いに異なる二次電池パックの要部構成例をそれぞれ示す回路図である。
【００１３】
実施例１
先ず、図１は二次電池セル２個を直列に接続した構成の電池パックの場合で、電池パック６は、二次電池セル６ａ、６ｂ、外部接続端子７ａ，７ｂ、および前記二次電池セル６ａ，６ｂ間に一端が接続し、かつスイッチ８ａが介挿された電圧測定用端子８を具備した構成を成している。
【００１４】
また、図２は図１に図示した回路構成を採った電池パック６の充電に用いる充電器９の場合で、前記電池パック６の外部接続用端子７ａ，７ｂに対応する接続端子１０ａ，  １０ａ′を有し、かつ充電用電源１１側にそれぞれスイッチ  １０ｂ，  １０ｂ′を介して接続する一対の充電用配線部  １０ｃ，  １０ｃ′と、前記二次電池パック６の単一化されている電圧差測定用端子８に接続する端子  １２ａを一端に有し、かつ他端側が分岐しスイッチ  １２ｂ，  １２ｂ′を介してそれぞれ充電用配線部  １０ｃ，  １０ｃ′のスイッチ  １０ｂ，  １０ｂ′よりも充電用電源１１側に接続する電圧測定用配線部１２と、前記直列型二次電池パック６の互いに隣接する二次電池セル６ａ，６ｂ間の測定電圧差が所定の範囲の外れ状態により、前記充電用配線部  １０ｃ，  １０ｃ′および電圧測定用配線部１２の各スイッチ  １０ｂ，  １０ｂ′，  １２ｂ，  １２ｂ′を選択的に開閉する制御装置１３とを具備した構成を採っている。
【００１５】
次ぎに、上記構成の電池パック６を、同じく上記構成の充電器９で充電する場合について説明する。
【００１６】
先ず、電池パック６の二次電池セル6a、6b（いずれも正常の範囲にある）間に一端が接続されている電圧差測定用端子８に連なるスイッチ8aをオン(on)にし、充電器９の充電用配線部 10c， 10c′および電圧測定用配線部12の各スイッチ 10b， 10b′， 12b， 12b′全てをオフ (0ff)にセットして、前記二次電池セル6a、6bの電圧を検出する。ここで、二次電池セル6a、6bの電圧を検出することは、二次電池セル6a、6bの電圧差 V1 − V2 を検出することであり、前記二次電池セル6a、6b間の電圧差のバランスが採れているとき｜ V1 − V2 ｜≦ k0 （たとえば±30mV以内）、前記二次電池セル6a、6b間の電圧差がアンバランスのとき V1− V2 ＜ −k1 もしくは、 V1 − V2 ＞ k1 に区分される。なお、 k0 ， k1 はいずれも定数であり、二次電池セル6a、6bの種類，容量、充電条件などによっても異なるが、一般的には±30mV程度はバランス状態にあるといえる。
【００１７】
前記区分に対応して、充電器９は制御装置１３によって、次表に示すように、充電器９の充電用配線部  １０ｃ，  １０ｃ′および電圧測定用配線部１２の各スイッチ  １０ｂ，  １０ｂ′，  １２ｂ，  １２ｂ′が開閉制御されるとともに、電池パック６側の電圧測定用端子８との間に介挿されているスイッチ８ａ開閉制御される。
【００１８】
0003547194.tif 000002
つまり、前記直列型二次電池パック６の隣接する二次電池セル6a，6b間の電圧差を測定し、その電圧差が所定範囲にあるときは、充電用配線 10c， 10c′のスイッチ 10b， 10b′以外のスイッチ8a， 12b， 12b′をオフ、隣接する二次電池セル6a，6bのうち電池パック正極側の二次電池セル6aの容量が大きいときは、スイッチ8aをオン、正極側の充電用配線 10cのスイッチ 10bおよび負極側の充電用配線 10c′に接続する分岐された電圧差測定用配線12のスイッチ 12b′をオフ、また、隣接する二次電池セルのうち電池パック６の負極側の二次電池セル6bの容量が大きいときは、スイッチ8aをオン、負極側の充電用配線 10c′のスイッチ 10b′および正極側の充電用配線 10cに接続する分岐された電圧差測定用配線のスイッチ 12bをオフとして充電を開始する、そして、前記隣接する各二次電池セル6a，6b間の電圧差が所定の範囲内になった時点で、所定の定電流充電に移行することにより、より効率的な充電が行われ、また、有効な電池パック６のエネルギー利用が図られる。
【００１９】
実施例２
図３は直列接続型電池パック６の他の構成例を示す回路図ある。つまり、この電池パック６の構成例は、二次電池セル６ａ，６ｂ，６ｃ、外部接続端子７ａ，７ｂ、および前記二次電池セル６ａ，６ｂ，６ｃ間に分岐された一端がそれぞれ接続し、かつスイッチ８ａ，８ｂがそれぞれ介挿され、他端側では一体化された１個の電圧測定用端子８を具備した構成を成している。さらに詳述すると、この電池パック６の構成例では、電池パック６を構成する二次電池セル６ａ，６ｂ，６ｃと個数の増加に伴って、互いに隣接する二次電池セル６ａ，６ｂ間、６ｂ、６ｃ間に、それぞれ前記隣接する二次電池セル間の電圧差を測定するための電圧測定用端子８に接続するスイッチ８ａ，８ｂをそれぞれ介挿配置した配線が接続されているが、電圧測定用端子８にては１本化されている。
【００２０】
そして、これら二次電池セル６ａ，６ｂ間、６ｂ、６ｃ間の電圧差は、相当するスイッチ８ａ，８ｂの選択的な開閉で行われる。先ず、二次電池セル６ａの残り容量（電圧）Ｖ１  は、電圧測定用端子８に接続するスイッチ８ａをオン（ｏｎ）とし、電圧測定用端子８と外部接続端子７ａとの間で測定・検出される。次ぎに、二次電池セル６ｂの残り容量（電圧）は、電圧測定用端子８に接続するスイッチ８ｂをオン（ｏｎ）とし、電圧測定用端子８と外部接続端子７ａとの間で測定・検出した二次電池セル６ａおよび６ｂの残り容量（電圧）  Ｖ１  ＋  Ｖ２  から、二次電池セル６ａ残り容量（電圧）  Ｖ１  を減ずる（  Ｖ２  ＝（  Ｖ１  ＋  Ｖ２  ）−  Ｖ１  ）ことで検出する。さらに、二次電池セル６ｃの残り容量（電圧）は、電圧測定用端子８に接続するスイッチ８ｂをオン（ｏｎ）とし、電圧測定用端子８と外部接続端子７ｂとの間で測定・検出する。このようにして、各二次電池セル６ａ，６ｂ，６ｃの電圧差を検出し、それら検出した電圧差が許容される範囲内のバラツキか否か（バランス状態，アンバランス状態）によって、充電器９による充電条件が選択・設定される。
【００２１】
前記電圧差検出で、二次電池セル６ａ，６ｂ，６ｃ間の電圧差が許容されるバランス範囲内にあると判定された場合は、充電器９の充電用配線  １０ｃ，  １０ｃ′のスイッチ  １０ｂ，  １０ｂ′以外のスイッチ８ａ，８ｂ，  １２ｂ，  １２ｂ′をオフにして、所要の充電を行う。また、二次電池セル６ｂの残り容量（電圧）が低いときは、充電器９の充電用配線  １０ｃ−二次電池セル６ａ−二次電池セル６ｂ−スイッチ８ｂ−電圧測定用端子８のルートによる充電と、電圧測定用端子８−スイッチ８ａ−二次電池セル６ｂ−二次電池セル６ｃ−充電用配線  １０ｃ′のルートによる充電とを繰り返すことで、二次電池セル６ａ−６ｂ間、二次電池セル６ｂ−６ｃ間の電圧差が許容されるバランス範囲内に調整される。さらに、二次電池セル６ａ，６ｂ，６ｃの残り容量（電圧）が、６ａ＜６ｂ＜６ｃの場合は、充電器９の充電用配線  １０ｃ−二次電池セル６ａ−スイッチ８ａ−電圧測定用端子８のルートによって充電して、二次電池セル６ａ，６ｂ間の電圧差が許容されるバランス範囲内に調整する。次ぎに、充電用配線  １０ｃ−二次電池セル６ａ−二次電池セル６ｂ−スイッチ８ｂ−電圧測定用端子８のルートによる充電を行うことによって、二次電池セル６ａ，６ｂ，６ｃ間の電圧差は許容されるバランス範囲内に調整される。その後、所定の定電流充電に移行することにより、より効率的な充電が行われ、また、有効な電池パック６のエネルギー利用が図られる。
【００２２】
実施例３
図４は直列接続型電池パック６の他の構成例を示す回路図ある。つまり、この電池パック６の構成例は、二次電池セル６ａ，６ｂ，６ｃ、６ｄ外部接続端子７ａ，７ｂ、および前記二次電池セル６ａ，６ｂ，６ｃ，６ｄ間に分岐された一端がそれぞれ接続し、かつスイッチ８ａ，８ｂ，８ｃがそれぞれ介挿され、他端側では一体化された１個の電圧測定用端子８を具備した構成を成している。さらに詳述すると、この電池パック６の構成例では、電池パック６を構成する二次電池セル６ａ，６ｂ，６ｃ，６ｄと、さらに個数が増加したことに伴って、互いに隣接する二次電池セル６ａ，６ｂ間、６ｂ，６ｃ間、６ｃ，６ｄ間に、それぞれ前記隣接する二次電池セル間の電圧差を測定するための電圧測定用端子８に接続するスイッチ８ａ，８ｂ，８ｃをそれぞれ介挿配置した配線が接続されているが、電圧測定用端子８にては１本化されている。
【００２３】
そして、これら二次電池セル６ａ，６ｂ間、６ｂ，６ｃ間、６ｃ，６ｄ間の電圧差は、相当するスイッチ８ａ，８ｂ，８ｃの選択的な開閉で行われる。先ず、二次電池セル６ａの残り容量（電圧）  Ｖ１  は、電圧測定用端子８に接続するスイッチ８ａをオン（ｏｎ）とし、電圧測定用端子８と外部接続端子７ａとの間で測定・検出される。また、二次電池セル６ｄの残り容量（電圧）  Ｖ４  は、電圧測定用端子８に接続するスイッチ８ｃをオン（ｏｎ）とし、電圧測定用端子８と外部接続端子７ｂとの間で測定・検出される。次ぎに、二次電池セル６ｂの残り容量（電圧）は、電圧測定用端子８に接続するスイッチ８ｂをオン（ｏｎ）とし、電圧測定用端子８と外部接続端子７ａとの間で測定・検出した二次電池セル６ａおよび６ｂの残り容量（電圧）  Ｖ１  ＋  Ｖ２  から、二次電池セル６ａ残り容量（電圧）  Ｖ１  を減ずる（  Ｖ２  ＝（  Ｖ１  ＋  Ｖ２  ）−  Ｖ１  ）ことで検出する。さらに、二次電池セル６ｃの残り容量（電圧）は、電圧測定用端子８に接続するスイッチ８ｂをオン（ｏｎ）とし、電圧測定用端子８と外部接続端子７ｂとの間で測定・検出する。この測定・検出した二次電池セル６ｃおよび６ｄの残り容量（電圧）Ｖ３  ＋  Ｖ４  から、二次電池セル６ｄ残り容量（電圧）  Ｖ４  を減ずる（  Ｖ３  ＝（  Ｖ３  ＋  Ｖ４  ）−  Ｖ４  ）ことで検出する。このようにして、各二次電池セル６ａ，６ｂ，６ｃ，６ｄの電圧差を検出し、それら検出した電圧差が許容される範囲内のバラツキか否か（バランス状態，アンバランス状態）によって、充電器９による充電条件が選択・設定される。
【００２４】
前記電圧差検出で、二次電池セル６ａ，６ｂ，６ｃ間の電圧差が許容されるバランス範囲内にあると判定された場合は、充電器９の充電用配線  １０ｃ，  １０ｃ′のスイッチ  １０ｂ，  １０ｂ′以外のスイッチ８ａ，８ｂ，  １２ｂ，  １２ｂ′をオフにして、所要の充電を行う。また、二次電池セル６ａ，６ｂ間もしくは６ｃ，６ｄ間の残り容量（電圧）に電圧差があるときは、前記実施例２で説明した手段に沿って、それぞれ所要の充電操作を行い電圧差が許容されるバランス範囲内に調整する。二次電池セル６ａ，６ｂ間と二次電池セル６ｃ，６ｄ間の残り容量を比較して、容量の低い二次電池セル６ａ，６ｂもしくは二次電池セル６ｃ，６ｄに、選択的に所要の充電をを行って、許容されるバランス範囲内に電圧を調整する。
【００２５】
さらに、二次電池セル６ｂの残り容量（電圧）が許容されるバランス範囲よりも小さい場合は、充電器９の充電用配線  １０ｃ−二次電池セル６ａ−二次電池セル６ｂ−スイッチ８ｂ−電圧測定用端子８のルートによる充電と、電圧測定用端子８−スイッチ８ａ−二次電池セル６ｂ−二次電池セル６ｃ−充電用配線  １０ｃ′のルートによる充電とを繰り返すことで、二次電池セル６ａ−６ｂ間、二次電池セル６ｂ−６ｃ間の電圧差が許容されるバランス範囲内に調整される。
【００２６】
一方、二次電池セル６ｄの残り容量（電圧）が許容されるバランス範囲よりも大きい場合は、二次電池セル６ａ，６ｂ，６ｃを充電用配線  １０ｃ−二次電池セル６ａ−二次電池セル６ｂ−二次電池セル６ｃ−スイッチ８ｃ−電圧測定用端子８のルートによって充電することで、電圧差が許容されるバランス範囲内に調整される。逆に、二次電池セル６ｄの残り容量（電圧）が許容されるバランス範囲よりも小さい場合は、電圧測定用端子８−スイッチ８ｃ−二次電池セル６ｃ−二次電池セル６ｄ−充電用配線１０ｃ′のルートによる充電で、電圧差が許容されるバランス範囲内に調整される。その後、所定の定電流充電に移行することにより、より効率的な充電が行われ、また、有効な電池パック６のエネルギー利用が図られる。
【００２７】
なお、本発明は上記例示の手段に限定されるものでなく、本発明の趣旨を逸脱しない範囲でいろいろの変形を採り得る。たとえば、前記では二次電池セル数を２〜４個直列接続した構成の二次電池パックを例示したが、二次電池セル数を５個以上に選択してもよい。
【００２８】
【発明の効果】
上記説明から分かるように、本発明に係る二次電池パックの充電方法によれば、二次電池パックを構成する各二次電池セルの容量が、いわゆるアンバランス状態にある場合は、許容される電圧差範囲内に調整した後に、所要の定電流充電が行われる。つまり、二次電池パックを構成する直列に接続された各二次電池セル間に充電可能な容量差（アンバランス）があって、通常の充電操作では所望の再充電を十分に行うことが困難な場合、前記アンバランス状態を解消し、許容される電圧差の範囲に先ず一次調整する。そして、各二次電池セルをほぼ一様な充電状態化して、電池パック全体として所要の充電が行われるため、電池パックの効率的な充電およびエネルギーの有効な利用が可能となる。
【００２９】
また、本発明に係る充電装置によれば、前記二次電池パックの効率的な充電およびエネルギーの有効な利用を、より容易に行うことに大きく寄与する。
【図面の簡単な説明】
【図１】本発明に係る二次電池パックの回路構成例を示す回路図。
【図２】本発明に係る二次電池パック用充電装置の回路構成例を示す回路図。
【図３】本発明に係る二次電池パックの他の回路構成例を示す回路図。
【図４】本発明に係る二次電池パックのさらに他の回路構成例を示す回路図。
【図５】従来の二次電池パックの充電態様を示す回路図。
【図６】従来の二次電池パックの放電態様を示す回路図。
【図７】従来の二次電池パックの他の充電態様を示す回路図。
【符号の説明】
１，６……直列接続型の電池パック      １ａ，１ｂ，１ｃ，６ａ，６ｂ，６ｃ，６ｄ……二次電池セル      ２ａ，２ｂ，７ａ，７ｂ……外部接続端子      ３ａ，３ｂ，８……電圧測定用端子      ４，９……充電器      ５……負荷      ８ａ，８ｂ，８ｃ……電池パック側のスイッチ        １０ａ，  １０ａ′，  １２ａ……充電器側の接続端子        １０ｂ，  １０ｂ′……充電用配線部のスイッチ        １０ｃ，  １０ｃ′……充電用配線部
１１……充電用電源      １２……電圧測定用配線部        １２ｂ，  １２ｂ′……電圧測定用配線部のスイッチ      １３……制御装置
【図１】
0003547194.tif 000003
【図２】
0003547194.tif 000004
【図３】
0003547194.tif 000005
【図４】
0003547194.tif 000006
【図５】
0003547194.tif 000007
【図６】
0003547194.tif 000008
【図７】
0003547194.tif 000009